(57)【特許請求の範囲】
【請求項１】
ネットワーク通信回線を介してホスト装置に接続された複数のカラオケ演奏端末を備えた通信カラオケシステムに内蔵されてなり、各カラオケ演奏端末では楽曲毎にデフォルト設定された背景映像に代えて、外部入力画像を利用者の設定に応じて背景映像として表示可能であり、
演奏ログ収集手段と、地域対応楽曲抽出管理手段と、外部入力画像管理手段と、外部入力画像設定手段と、画像対応楽曲提示手段と、を備え、
前記演奏ログ収集手段は、前記各カラオケ演奏端末における演奏ログを少なくとも各カラオケ演奏端末に設定された設置地域データを付帯させて収集し、
前記地域対応楽曲抽出管理手段は、収集した演奏ログに基づき、カラオケ演奏端末の設置地域毎に演奏回数が上位の楽曲を抽出して管理し、
前記外部入力画像管理手段は、少なくとも撮影場所データが付帯された外部入力画像を所定の外部入力画像記憶部にて管理し、
前記外部入力画像設定手段は、楽曲毎にデフォルト設定された背景映像に代えて、前記外部入力画像管理手段に格納された外部入力画像を背景映像とする代替設定を可能とし、
前記画像対応楽曲提示手段は、背景映像として外部入力画像が代替設定された場合に、当該外部入力画像に付帯した撮影場所データに対応させて、前記地域対応楽曲抽出管理手段で設置地域毎に抽出した楽曲を選曲可能に一覧表示させる、
ことを特徴とする画像対応楽曲推薦提示システム。
【請求項２】
ネットワーク通信回線を介してホスト装置に接続された複数のカラオケ演奏端末を備えた通信カラオケシステムに内蔵されてなり、各カラオケ演奏端末では楽曲毎にデフォルト設定された背景映像に代えて、外部入力画像を利用者の設定に応じて背景映像として表示可能であり、
演奏ログ収集手段と、地域対応楽曲抽出管理手段と、外部入力画像管理手段と、外部入力画像設定手段と、画像対応楽曲提示手段と、を備え、
前記演奏ログ収集手段は、前記各カラオケ演奏端末における演奏ログを少なくとも各カラオケ演奏端末に設定された設置地域データ及び演奏年月日データを付帯させて収集し、
前記地域対応楽曲抽出管理手段は、収集した演奏ログに基づき、設置地域及び所定の期間毎に演奏回数が上位の楽曲を抽出して管理し、
前記外部入力画像管理手段は、少なくとも撮影場所データ及び撮影年月日データが付帯された外部入力画像を所定の外部入力画像記憶部にて管理し、
前記外部入力画像設定手段は、楽曲毎にデフォルト設定された背景映像に代えて、前記外部入力画像管理手段に格納された外部入力画像を背景映像とする代替設定を可能とし、
前記画像対応楽曲提示手段は、背景映像として外部入力画像が代替設定された場合に、当該外部入力画像に付帯した撮影場所データ及び撮影年月日データに対応させて、前記地域対応楽曲抽出管理手段で設置地域及び所定の期間毎に抽出した楽曲を選曲可能に一覧表示させる、
ことを特徴とする画像対応楽曲推薦提示システム。
【発明の詳細な説明】
【技術分野】
【０００１】
本発明は、楽曲毎にデフォルト設定された背景映像に代えて、利用者が任意に設定した外部入力画像を背景映像として表示する際に、当該外部入力画像の撮影場所データや撮影年月日データに対応して抽出された楽曲を推薦提示することが可能な技術に関するものである。
【背景技術】
【０００２】
近年、カラオケ利用者の多用な要望に応えるため、カラオケ装置に関して種々の技術が開発されている。例えば、楽曲毎にデフォルト設定された背景映像に代えて、利用者が任意に設定した外部入力画像を背景映像として表示することができるカラオケシステムが開発されている。具体的には、カラオケ演奏端末に外部記憶装置の接続端子を設けることにより外部記憶装置に記録された画像を取り込み、楽曲の演奏に際して当該画像を背景映像として表示するようにしたカラオケシステムである。
【０００３】
ここで、背景映像として表示可能な外部入力画像は、デジタルカメラで撮影した映像が一般的である。例えば、デジタルカメラで撮影した映像は、外部記憶装置（例えばＳＤメモリカード）に記憶されており、この外部記憶装置をカラオケ演奏端末に接続して映像データを取り込むことにより、デジタルカメラで撮影した映像を背景映像として表示することができる。
【０００４】
また、近年、ＧＰＳを用いて現在位置を把握する技術が普及しており、自動車、船舶、航空機等に搭載されたナビゲーションシステムで利用されている。さらに、携帯電話にＧＰＳ機能を搭載して、携帯電話の使用者の現在位置を把握可能とした技術も知られている。このＧＰＳ技術を利用することにより、デジタルカメラで撮影した映像に対して撮影場所データを付帯させることが可能である。このように撮影データに撮影場所データを付帯させる技術が開示されている（特許文献１、特許文献２参照）。
【０００５】
特許文献１に記載された技術は、撮影後における撮影画像の付加価値を高めるため、画像データと共に撮影場所データを記録するようにしたものである。具体的には、カメラのシャッター操作に連動してＧＰＳモジュールが動作し、現在地の緯度・経度情報を取得する。そして、撮影年月日、撮影時刻、経度・緯度、地名メモリから検索した地名等のデータを撮影画像に付帯させてフラッシュメモリに記憶するようになっている。
【０００６】
また、特許文献２に記載された技術は、ご当地ソングなどの特定地方に縁のある曲を自動的に選曲して再生するようにしたものである。具体的には、曲データがどの地方に縁があるかを表す地図関連情報記憶部と、現在位置がどの地方に属するかを記憶した地域区分情報記憶部とを備えると共に、車載されたＧＰＳシステムにより車両の現在位置を認識する。そして、認識した現在位置情報に基づいて地域区分を特定し、地図関連情報記憶部を参照して当該地域区分に対応する曲目を選曲するようになっている。
【０００７】
また、利用者の好む楽曲の年代を容易に特定すると共に、年代に地域性を加味して、その時その地域で人気のあった楽曲を容易かつ効率的に選曲できるカラオケ装置が提案されている（特許文献３参照）。
【０００８】
この特許文献３に記載されている技術は、楽曲の検索方式において、利用者が所望する年代を、利用者の現在年齢又は出生年代の入力条件と、利用者が何歳の時あるいは何学年生の時かの入力条件に基づき特定すると共に、利用者が所望する地域を、利用者の地域指定に基づき特定する。そして、特定された年代及び地域から、地域別人気楽曲管理テーブルを参照して、検索対象となる楽曲を抽出する楽曲検索モードを設定できるようになっている。
【０００９】
【特許文献１】特開２０００−１９６９３３号公報
【特許文献２】特開平８−２４８９５３号公報
【特許文献３】特開２００６−１５４２７２号公報
【発明の開示】
【発明が解決しようとする課題】
【００１０】
ところで、利用者が任意に設定した外部入力画像を背景映像として表示するようにしたカラオケシステムでは、背景映像として表示させる外部入力画像の撮影場所や撮影年月日に対応した楽曲をＢＧＭとして聴取し、あるいは当該楽曲を歌唱したいとの要望がある。例えば、沖縄旅行の際に撮影した外部入力画像を背景画像として表示させる場合には、沖縄地方に関係のある楽曲をＢＧＭとして聴取し、あるいは当該楽曲を歌唱することにより、旅行の思い出が鮮明に呼び起こされて、楽しさが増加することが期待できる。この際、写真撮影を行った時期に対応した楽曲を選ぶことができれば、楽しさがさらに増加すると考えられる。
【００１１】
この点、上記した従来の技術では、利用者が任意に設定した外部入力画像を背景映像として表示可能とし、さらに背景映像として表示させる外部入力画像の撮影場所や撮影年月日に対応した楽曲をＢＧＭとして聴取し、あるいは当該楽曲を歌唱することはできない。
すなわち、上記した特許文献１に記載された技術は、撮影年月日、撮影時刻、経度・緯度、地名メモリから検索した地名等のデータの付加情報を撮影画像に付帯させてフラッシュメモリに記憶する技術は記載されているが、これをカラオケシステムにおいて利用することに関しては何ら記載されていない。
【００１２】
また、上記した特許文献２に記載された技術は、自動車の現在位置に関連するご当地ソングをＢＧＭとして演奏する技術は記載されているが、デジタルカメラ等で撮影した画像に対応させて楽曲を選択可能とすることに関しては何ら記載されていない。
【００１３】
同様に、上記した特許文献３に記載された技術は、利用者の好む楽曲の年代に地域性を加味して、その時その地域で人気のあった楽曲を容易かつ効率的に選曲する技術は開示されているが、外部入力画像を背景画像として表示させると共に、この外部入力画像に付帯された撮影場所データや撮影年月日データを利用して選曲を行うことに関しては何ら記載されていない。
【００１４】
本発明は、上述した事情に鑑み提案されたもので、利用者が任意に設定した外部入力画像を背景映像として設定する際に、背景映像として表示させる外部入力画像の撮影場所や撮影年月日に対応した楽曲をＢＧＭとして聴取し、あるいは当該楽曲を歌唱することが可能な画像対応楽曲推薦提示システムを提供することを目的とする。
【課題を解決するための手段】
【００１５】
本発明の画像対応楽曲推薦提示システムは、上述した目的を達成するため、以下の特徴点を備えている。
すなわち、本発明の画像対応楽曲推薦提示システムは、ネットワーク通信回線を介してホスト装置に接続された複数のカラオケ演奏端末を備えた通信カラオケシステムに内蔵されてなり、各カラオケ演奏端末では楽曲毎にデフォルト設定された背景映像に代えて、外部入力画像を利用者の設定に応じて背景映像として表示可能であり、演奏ログ収集手段と、地域対応楽曲抽出管理手段と、外部入力画像管理手段と、外部入力画像設定手段と、画像対応楽曲提示手段と、を備えている。
【００１６】
演奏ログ収集手段は、各カラオケ演奏端末における演奏ログを少なくとも各カラオケ演奏端末に設定された設置地域データを付帯させて収集し、地域対応楽曲抽出管理手段は、収集した演奏ログに基づき、カラオケ演奏端末の設置地域毎に演奏回数が上位の楽曲を抽出して管理し、外部入力画像管理手段は、少なくとも撮影場所データが付帯された外部入力画像を所定の外部入力画像記憶部にて管理し、外部入力画像設定手段は、楽曲毎にデフォルト設定された背景映像に代えて、外部入力画像管理手段に格納された外部入力画像を背景映像とする代替設定を可能とし、画像対応楽曲提示手段は、背景映像として外部入力画像が代替設定された場合に、当該外部入力画像に付帯した撮影場所データに対応させて、地域対応楽曲抽出管理手段で設置地域毎に抽出した楽曲を選曲可能に一覧表示させる、ことを特徴とするものである。
【００１７】
また、前記画像対応楽曲推薦提示システムにおいて、演奏ログを収集する際に演奏年月日データを付帯させて収集し、外部入力画像には撮影場所データに加えて撮影年月日データを付帯させることが可能である。
【００１８】
すなわち、演奏ログ収集手段は、各カラオケ演奏端末における演奏ログを少なくとも各カラオケ演奏端末に設定された設置地域データ及び演奏年月日データを付帯させて収集し、地域対応楽曲抽出管理手段は、収集した演奏ログに基づき、設置地域及び所定の期間毎に演奏回数が上位の楽曲を抽出して管理し、外部入力画像管理手段は、少なくとも撮影場所データ及び撮影年月日データが付帯された外部入力画像を所定の外部入力画像記憶部にて管理する。また、画像対応楽曲提示手段は、背景映像として外部入力画像が代替設定された場合に、当該外部入力画像に付帯した撮影場所データ及び撮影年月日データに対応させて、地域対応楽曲抽出管理手段で設置地域及び所定の期間毎に抽出した楽曲を選曲可能に一覧表示させる、ことを特徴とするものである。
【発明の効果】
【００１９】
本発明の画像対応楽曲推薦提示システムによれば、通信ネットワークで接続された各カラオケ演奏端末から演奏ログを収集し、カラオケ演奏端末の設置地域毎、あるいは設置地域及び所定の期間毎に演奏回数が上位の楽曲を抽出する。そして、利用者が任意に設定した外部入力画像を背景映像として設定する際に、この背景映像の撮影場所、あるいは撮影場所及び撮影年月日に対応した楽曲を選曲対象として推薦提示する。
したがって、利用者により背景映像として設定された外部入力画像の撮影場所や撮影年月日に対応した楽曲をＢＧＭとして聴取し、あるいは当該楽曲を歌唱することが可能となる。
【００２０】
具体的には、例えば、沖縄旅行の際に撮影した外部入力画像を背景画像として表示させる場合に、沖縄地方で好まれて演奏されている楽曲をＢＧＭとして聴取し、あるいは当該楽曲を歌唱することにより、旅行の思い出が鮮明に呼び起こされて、楽しさが増加する。この際、写真撮影を行った時期に対応した楽曲を選曲可能とすることにより、楽しさがさらに増加する。
【発明を実施するための最良の形態】
【００２１】
以下、図面を参照して本発明の画像対応楽曲推薦提示システムの実施形態を説明する。
本発明の実施形態に係る画像対応楽曲推薦提示システムは、楽曲毎にデフォルト設定された背景映像に代えて、利用者が任意に設定した外部入力画像を背景映像として表示する際に、当該外部入力画像の撮影場所、あるいは撮影場所及び撮影年月日に対応したデータを有する楽曲を推薦提示する機能を有している。
【００２２】
＜外部入力画像＞
まず、本発明の実施形態に係る画像対応楽曲推薦提示システムで用いる外部入力画像及び外部入力画像管理手段について説明する。
外部入力画像とは、カラオケ演奏端末内に組み込まれた背景映像、すなわち楽曲毎に予めデフォルト設定された通常の背景映像とは異なり、利用者が個々に用意した個人対応の画像のことである。なお、画像とは、静止画又は動画のどちらであってもよい。
また、外部入力画像管理手段とは、外部入力画像を管理するための手段であり、例えばカラオケ演奏端末に装着されるＳＤメモリカード等の外部記憶装置や、カラオケ演奏端末の構成要素であるＨＤＤ又はＲＡＭに格納された外部入力画像の管理を行う。
【００２３】
本発明の実施形態に係る画像対応楽曲推薦提示システムで用いる外部入力画像は、画像データに対して、撮影場所データ及び撮影年月日データが付帯されている。この外部入力画像を生成する機器は、例えば、デジタルカメラやデジタルビデオカメラ等からなる。
一般的に、デジタルカメラやデジタルビデオカメラで撮影された画像には、画像データの他に、ファイル名（画像ＩＤ）、データ形式、データサイズ、撮影年月日、画像の大きさ、撮影機材、解像度等の情報が付帯している。外部入力画像管理手段では、これらの情報のうち、少なくとも画像ＩＤ及び撮影年月日に関するデータを管理する。
【００２４】
さらに、デジタルカメラやデジタルビデオカメラにＧＰＳモジュールを搭載し、このＧＰＳモジュールにより取得した緯度・経度データを、撮影場所データとして外部入力画像に付帯させることが可能であり、このようなデジタルカメラに関する技術が特開２０００−１９６９３３号公報に記載されている。具体的には、シャッターが操作されたタイミングで、デジタルカメラに搭載されたＧＰＳモジュールモジュールが動作し、ＧＰＳ衛星からの電波を受信して現在位置の緯度・経度データを取得し、画像データに付帯させて記憶する。
【００２５】
この際、緯度・経度データを直接記憶してもよいが、予め緯度・経度データと地名データとを対応付けて記憶した地名対応テーブルを用意しておき、取得した緯度・経度データに対応する地名データを、画像データに付帯させて記憶してもよい。この地名対応テーブルは、デジタルカメラ等に内蔵させてもよいし、ホスト装置に内蔵させてもよいし、カラオケ演奏端末に内蔵させてもよい。また、緯度・経度データと対応させる地名データは、都道府県名であってもよいし、廃藩置県前の旧国名であってもよいし、東北、関東、中部、関西等の地域名であってもよい。
【００２６】
＜全体構成＞
次に、本発明の実施形態に係る画像対応楽曲推薦提示システムの全体構成を説明する。
図１は、本発明の実施形態に係る画像対応楽曲推薦提示システムの構成を示すもので、図１（ａ）は画像対応楽曲推薦提示システムの全体構成を示す模式図、図１（ｂ）はホスト装置の概略構成を示すブロック図である。
【００２７】
本発明の実施形態に係る画像対応楽曲推薦提示システムは、図１（ａ）に示すように、通信ネットワーク１２を介して相互に接続されたホスト装置１１と複数のカラオケ演奏端末１３とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せず安価な通信網であるという点で、インターネットにより構築されるＶＰＮを利用することが好ましい。
【００２８】
＜ホスト装置＞
ホスト装置１１は、図１（ｂ）に示すように、送受信部２１、制御手段２２、データ処理手段２３、演奏ログデータベース（演奏ログＤＢ）２４及び顧客データベース（顧客ＤＢ）２５を備えている。
このホスト装置１１は、各カラオケ演奏端末１３で利用する楽曲索引データ、更新楽曲索引データ、楽曲データ、利用者データ、演奏ログ等を管理している。ホスト装置１１からカラオケ演奏端末１３に対して、楽曲索引データ、更新楽曲索引データ、利用者データ等が送信される。一方、カラオケ演奏端末１３からホスト装置１１に対して、演奏ログ等が送信される。なお、演奏ログには、各カラオケ演奏端末１３に付与された設置地域データ、楽曲の演奏回数、演奏年月日等のデータが含まれている。また、楽曲索引データには、通常用いる楽曲索引データの他に、外部入力画像に対応して推薦提示する楽曲索引データも含まれている。
【００２９】
＜送受信部＞
送受信部２１は、各カラオケ演奏端末１３との間でデータの送受信を行うための手段であり、通信ネットワーク１２における通信方式の整合性を保つための通信回路やソフトウェアにより構成される。
＜制御手段＞
制御手段２２は、ホスト装置１１を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。
また制御手段２２は、演奏ログ収集手段２６及び地域対応楽曲抽出管理手段２７として機能する。
【００３０】
＜演奏ログ収集手段＞
演奏ログ収集手段２６は、各カラオケ演奏端末における演奏ログを少なくとも各カラオケ演奏端末に設定された設置地域データ、あるいはこれに加えて演奏年月日データを付帯させて収集するための手段である。
一般的に、通信ネットワーク１２を介してホスト装置１１に接続された各カラオケ演奏端末１３は、それぞれ独自のアドレスデータが付与されている。そこで、各カラオケ演奏端末１３で演奏された楽曲について、楽曲ＩＤとアドレスデータとを関連付けることにより、各カラオケ演奏端末１３における演奏ログを収集することができる。さらに、演奏ログに演奏年月日データを付帯させることにより、各カラオケ演奏端末１３で演奏された楽曲について、楽曲ＩＤ、カラオケ演奏端末１３のアドレスデータ、及び演奏年月日データを演奏ログとして収集することができる。
【００３１】
＜地域対応楽曲抽出管理手段＞
地域対応楽曲抽出管理手段２７は、収集した演奏ログに基づき、設置地域毎、あるいは設置地域及び所定の期間毎に演奏回数が上位の楽曲を抽出するための手段である。
上述したように、演奏ログには、楽曲ＩＤ、カラオケ演奏端末１３のアドレスデータや演奏年月日データを含ませることができる。そして、例えば都道府県毎にアドレスデータを分類することにより、カラオケ演奏端末１３の設置地域毎に演奏ログを管理することができる。また、カラオケ演奏端末１３の設置地域に関する分類に加えて楽曲の演奏年月日データに基づいた分類を付加することにより、カラオケ演奏端末１３の設置地域及び所定の期間毎に演奏ログを管理することができる。
【００３２】
ここで、地域対応楽曲抽出管理手段２７では、収集した演奏ログに基づき、設置地域毎に演奏回数が上位の楽曲を抽出し、あるいは設置地域及び所定の期間毎に演奏回数が上位の楽曲を抽出する。具体的には、例えばカラオケ演奏端末１３の設置地域毎、あるいは設置地域及び所定の期間毎に、演奏回数が上位である１０曲を順位付けて抽出する。この地域対応楽曲抽出管理手段２７で管理される演奏ログは、例えばホスト装置１１を構成するＨＤＤ等において演奏ログデータベース２４として格納される。
【００３３】
なお、カラオケ演奏端末１３を設置地域毎に分類する際に用いる基準は、都道府県のみにかぎられず、例えば、廃藩置県前の旧国名であってもよいし、東北、関東、中部、関西等の地域名であってもよい。
また、所定の期間の分類基準は特に限定されるものではなく、例えば、１週間単位、１月単位、３ヶ月単位、６ヶ月単位、１年単位等、どのような期間であってもよい。
【００３４】
＜データ処理手段＞
データ処理手段２３は、演奏ログデータベース２４及び顧客データベース２５にアクセスして、データの抽出、変更、追加を処理するためのプログラムからなる。
【００３５】
＜演奏ログデータベース＞
演奏ログデータベース２４は、複数のカラオケ演奏端末１３から収集した演奏ログを管理するためのデータベースである。この演奏ログデータベース２４は、例えば図２（ａ）に示すように、カラオケ演奏端末１３の設置地域毎に、曲名、アーティスト名、楽曲ＩＤ、演奏回数、演奏割合が関連付けて構築されている。また、楽曲が演奏された所定の期間を演奏ログに含ませる場合には、例えば図２（ｂ）に示すように、カラオケ演奏端１３の設置地域毎に、曲名、アーティスト名、楽曲ＩＤ、所定の期間における演奏回数（演奏頻度）、演奏割合が関連付けて構築されている。なお、各楽曲に関するデータは、演奏回数又は演奏頻度が多い順に並べられている。
【００３６】
＜顧客データベース＞
顧客データベース２５は、利用者毎に利用者情報が登録されたデータベースである。この顧客データベース２５は、例えば利用者毎に、利用者ＩＤ、氏名、セカンドネーム（例えば愛称）、住所、電話番号、年齢、性別、職業、顔写真等のイメージファイル名が関連付けて構築されている。イメージファイルは、顧客データベース２５に格納されている。なお、本実施形態では、外部入力画像に関する管理データが、顧客データベース２５に格納される場合がある。
【００３７】
＜カラオケ演奏端末＞
次に、本発明の実施形態に係る画像対応楽曲推薦提示システムを適用するカラオケ演奏端末１３について説明する。図３は、カラオケ演奏端末１３の構成を示すブロック図である。
カラオケ演奏端末１３は、図３に示すように、カラオケ本体３０、表示手段５４、ミキシングアンプ５３、マイクロホン５１、スピーカ５２、及び遠隔入出力端末５０を備えると共に、通信ネットワーク１２を介してホスト装置１１と接続されている。また、カラオケ本体３０と表示手段５４とは、有線方式又は無線方式により接続されている。
【００３８】
＜遠隔入出力端末＞
遠隔入出力端末５０は、ユーザインタフェース機能を備えており、カラオケ本体３０のローカル送受信手段３９に対して有線方式又は無線方式によりデータの送受信を行うようになっており、データの送受信を行うための回路基板及びプログラム、及び楽曲検索手段４５として機能させるためのプログラムを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００３９】
また、遠隔入出力端末５０は、画像対応楽曲提示手段４６及び画像選択手段４７として機能させるためのプログラムを備えると共に、楽曲索引データベース（ＤＢ）４８を含んでいる。遠隔入出力端末５０を構成する各手段については、後に詳述する。
【００４０】
＜カラオケ本体＞
カラオケ本体３０は、バス３１、中央制御手段３２、ＲＯＭ３３、ＲＡＭ３４、ＨＤＤ３５、音楽曲出力手段４３、再生制御手段４４、予約管理手段４２、ローカル送受信手段３９、ネットワーク送受信手段４９、外部入力画像管理手段４０、及び外部入力画像設定手段４１を備えている。
【００４１】
＜中央制御手段＞
中央制御手段３２は、カラオケシステムを総合的に制御するための手段であり、例えばＣＰＵ及びその周辺機器により構成されており、ＣＰＵ等がＲＯＭ３３等に記憶されたアプリケーションプログラムに従って動作することにより、制御機能を発揮することができるようになっている。
【００４２】
＜ＲＯＭ／ＲＡＭ＞
ＲＯＭ３３は、カラオケシステムを構成する各機器を制御するためのアプリケーションプログラムデータや数値データを記憶するための機器で、例えば半導体メモリ等で構成される。また、ＲＡＭ３４は、アプリケーションプログラムや種々のデータを一時的に読み込む一時記憶領域として機能するための機器で、例えば半導体メモリ等で構成される。なお、物理的な半導体メモリによりＲＡＭ３４を構成するのではなく、ハードディスク記憶装置等を用いて仮想的なＲＡＭ３４を構成してもよい。本実施形態では、ＲＡＭ３４に、予約待ち行列が格納される。この予約待ち行列は、例えば図１４に示すように、演奏順に、楽曲ＩＤ、楽曲名、選曲者の利用者ＩＤを関連付けて格納したものであり、背景映像として外部入力画像が設定されている場合には、代替設定された画像ＩＤも関連付けて格納される。
【００４３】
＜ＨＤＤ＞
ＨＤＤ３５は、カラオケ本体３０を構成する大容量記憶装置であり、本実施形態では、楽曲データベース（ＤＢ）３６、映像データベース３７（ＤＢ）３７、及び外部入力画像記憶部３８として機能する。
【００４４】
楽曲データベース３６は、楽曲索引データ格納手段としても機能するもので、演奏データ（ＭＩＤＩ（登録商標）データ）及び歌詞テロップデータが同期されて構成される楽曲索引データについて、楽曲コードと対応付けてそれぞれ格納したデータベースである。ここで、演奏データは各楽曲の演奏データをデジタル化したものであり、歌詞テロップデータは演奏データに同期された楽曲の歌詞文字データである。
【００４５】
映像データベース３７は、楽曲毎に予めデフォルト設定された通常の背景映像を、当該楽曲の楽曲ＩＤに対応させた映像ファイルとして所定数格納したデータベースである。利用者が個々に用意した個人対応の外部入力画像を背景映像として表示させない場合には、映像データベース３７に格納された通常の背景映像を楽曲の演奏に合わせて表示することになる。
【００４６】
外部入力画像記憶部３８は、外部入力画像管理手段４０で管理される外部入力画像を格納するための記憶部である。なお、遠隔入出力端末５０に装着された外部記憶装置（例えばＳＤメモリカード）等を、外部入力画像記憶部３８として機能させてもよいし、ホスト装置１１を構成するＨＤＤ等を外部入力画像記憶部３８として機能させてもよい。
【００４７】
＜音楽曲出力手段＞
音楽曲出力手段４３は、楽曲ＩＤに基づいて楽曲データベース３６から抽出された演奏データをデジタル再生すると共にアナログ変換してミキシングアンプ５３に出力するための電子回路である。ミキシングアンプ５３は、マイクロホン５１から入力された歌唱者の歌唱音声と、音楽曲出力手段４３から送出される演奏データとをミキシングすると共に、アンプ機能により増幅してスピーカ５２より出力させるための手段である。
【００４８】
＜再生制御手段＞
再生制御手段４４は、カラオケ演奏中に、楽曲データベース３６から抽出された楽曲データのうちの歌詞テロップデータ（歌詞文字データ）を当該楽曲の演奏データに同期させて表示手段５４に出力するための電子回路である。さらに、再生制御手段４４は、遠隔入出力端末５０を介した利用者からの操作指示による予約楽曲リストや、画像対応楽曲提示手段４６により選択設定される選曲可能な楽曲の一覧を表示手段５４に表示させる機能も有している。
【００４９】
＜表示手段＞
表示手段５４は、カラオケ演奏時の映像、歌詞テロップ及び表示識別情報等を表示するための装置で、例えばＣＲＴディスプレイ、液晶ディスプレイ、プラズマディスプレイ等により構成される。
【００５０】
＜予約管理手段＞
予約管理手段４２は、利用者により遠隔入出力端末５０における楽曲検索手段４５の機能を用いて選曲され、あるいは画像対応楽曲提示手段４６の機能により提示された楽曲の中から選曲され、ローカル送受信手段３９を介して送信された利用者ＩＤ、選曲された楽曲ＩＤ、及び設定された背景映像を対応付けて予約待ち行列としてＲＡＭ３４に格納し、管理するためのプログラムである。なお、楽曲選択の表示や予約待ち行列の表示は、遠隔入出力端末５０の入出力用表示部（図示せず）及び表示手段５４のいずれか一方、あるいは双方で行うことができる。
【００５１】
＜送受信手段＞
ローカル送受信手段３９は、遠隔入出力端末５０との間でデータの送受信を行うための手段である。ネットワーク送受信手段４９は、通信ネットワーク１２を介してホスト装置１１との間でデータの送受信を行うための手段であり、通信ネットワーク１２における通信方式の整合性を保つための通信回路やソフトウェアにより構成される。
【００５２】
＜外部入力画像管理手段＞
外部入力画像管理手段４０は、画像ＩＤ、撮影場所データ、あるいはこれらに加えて撮影年月日データが付帯された外部入力画像を格納するための手段であり、例えばＳＤメモリカード等の外部記憶手段や、カラオケ本体３０の構成要素であるＨＤＤ、ＲＡＭ等に格納された外部入力画像を管理するためのプログラムである。
外部入力画像管理手段４０では、外部入力画像記憶部３８に記憶されている情報のうち、少なくとも画像ＩＤ、撮影場所データ、あるいはこれらに加えて撮影年月日に関するデータを管理する。
【００５３】
＜外部入力画像の入力例１＞
ここで、外部入力画像管理手段４０における外部入力画像の入力例について説明する。図４は、カラオケ演奏端末１３に１つのＳＤメモリカード装着スロット６１が設けられている場合の外部入力画像の入力例を示す説明図である。
図４に示す例では、カラオケ演奏端末１３に設けられたＳＤメモリカード装着スロット６１に、外部入力画像が記憶されたＳＤメモリカード６３が装着されると、外部入力画像毎に、画像ＩＤ、画像データ、撮影場所データ、及び撮影年月日データを関連付けて管理データとする。この場合には、ＳＤメモリカード装着スロット６１が１つのみであるので、外部入力画像を管理するための管理データとして利用者ＩＤは必要ない。なお、この場合には、ＳＤメモリカード６３が外部入力画像記憶部３８として機能する。
【００５４】
＜外部入力画像の入力例２＞
図５は、ホスト装置１１において外部入力画像を管理する場合の入力例を示す説明図である。
図５に示す例では、カラオケ演奏端末１３にＳＤメモリカード装着スロット６１を設けると共に、遠隔入出力端末５０にＳＤメモリカード装着スロット６１及びＩＤカード装着スロット６２を設け、ＳＤメモリカード６３に記憶された外部入力画像をホスト装置１１にアップロードし、ホスト装置１１において、外部入力画像を利用者ＩＤと関連付けて管理するようになっている。
この例では、複数のカラオケ演奏端末１３が、通信ネットワーク１２を介してホスト装置１１に接続されているものとする。
【００５５】
具体的には、図５に示すように、遠隔入出力端末５０に設けられたＩＤカード装着スロット６２にＩＤカード６４を装着すると共に、カラオケ演奏端末１３のＳＤメモリカード装着スロット６１にＳＤメモリカード６３を装着し、利用者ＩＤと外部入力画像に関するデータとをホスト装置１１に送信する。なお、パーソナルコンピュータ及びインターネットを用いてホスト装置１１にアクセスして、利用者ＩＤと外部入力画像に関するデータとをホスト装置１１に送信するような構成としてもよい。
【００５６】
ホスト装置１１では、顧客データベース２５において、利用者毎に、画像ＩＤ、画像データ、撮影場所データ、あるいはこれらに加えて撮影年月日データを関連付けて管理データとする。なお、画像データが複数ある場合には、画像データ毎に画像ＩＤ、画像データ、撮影場所データ、あるいはこれらに加えて撮影年月日データが関連付けられる。この管理データは、例えば図６に示すように、各画像データに対して撮影場所データ及び撮影年月日データを関連付けたものである。
【００５７】
そして、遠隔入出力端末５０に設けられたＩＤカード装着スロット６２にＩＤカード６４を装着して、利用者を特定するための要求がホスト装置１１に送信されると、通信ネットワーク１２を介してホスト装置１１からカラオケ演奏端末１３に向かって、特定された利用者ＩＤに対応する管理データが送信され、ＨＤＤやＲＡＭ等からなる外部入力画像記憶部３８に利用者ＩＤ毎のフォルダが形成されて、管理データが格納される。
なお、管理データは、各カラオケ演奏端末１３において管理するようにしてもよい。
【００５８】
＜外部入力画像設定手段＞
外部入力画像設定手段４１は、楽曲毎にデフォルト設定された背景映像に代えて、外部入力画像管理手段４０に格納された外部入力画像を背景映像として代替設定するためのプログラムである。
【００５９】
＜楽曲索引データベース＞
楽曲索引データベース４８は、楽曲データベースに対応させて、選曲時に参照する楽曲索引データを格納している。この楽曲索引データベース４８には、通常使用する通常楽曲索引データとは別に、地域対応楽曲抽出管理手段２７で管理している設置地域毎、あるいは設置地域及び所定の期間毎の地域別楽曲索引データが格納されている。
【００６０】
楽曲索引データベースに格納された地域別楽曲索引データは、ホスト装置１１の演奏ログデータベース２４に対応したもので、楽曲ＩＤと、設置地域データ及び所定の期間データとを紐付けして格納したものである。
なお、外部入力画像の撮影場所データにのみ基づいて推薦楽曲を提示する場合には、所定の期間データは不要となる。
【００６１】
＜画像対応楽曲提示手段＞
画像対応楽曲提示手段４６は、背景映像として外部入力画像が代替設定された場合に、楽曲索引データベース４８に格納された地域別楽曲索引データの中から当該外部入力画像に付帯された撮影場所データ及び撮影年月日データに対応する設置地域データ及び所定の期間データが付帯された楽曲を選曲可能に一覧表示させるためのプログラムである。
なお、外部入力画像の撮影場所データにのみ基づいて推薦楽曲を提示する場合には、所定の期間データは不要となる。
【００６２】
＜画像選択手段＞
画像選択手段４７は、利用者の指示に基づき、複数の外部入力画像の中から背景映像に代えて代替設定する外部入力画像を選択するためのプログラムである。
【００６３】
＜楽曲選択手順＞
次に、本実施形態の画像対応楽曲推薦提示システムを用いて楽曲選択を行う手順を説明する。本実施形態の画像対応楽曲推薦提示システムを用いた楽曲選択手順では、カラオケ演奏端末１３のＳＤメモリカード装着スロット６１にＳＤメモリカード６３が装着され、あるいは遠隔入出力端末５０からホスト装置１１に対して管理データの送信要求があると、外部入力画像管理手段４０の機能により外部入力画像が管理データとして管理され、楽曲選択処理が開始する。
【００６４】
＜実施例１＞
実施例１の楽曲選択手順は、外部入力画像に付帯された撮影場所データのみに基づいて選曲を行う場合である。
図７は、外部入力画像に対応した楽曲を選択する手順の実施例１を示すフローチャートである。また、図８は背景映像選択画面を示す説明図、図９は地域指定画面の一例を示す説明図、図１０は選曲目次画面を示す説明図である。
【００６５】
実施例１の楽曲選択手順では、図７に示すように、外部入力画像に関する管理データが存在するか否かを判断し（Ｓ１）、管理データが存在する場合には、外部入力画像が複数存在するか否かを判断する（Ｓ２）。ここで、外部入力画像が１つのみの場合には、外部入力画像設定手段４１の機能により、楽曲毎にデフォルト設定された背景映像に代えて当該外部入力画像を背景映像として設定し（Ｓ１２）、遠隔入出力端末５０の入出力用表示部に選曲目次を表示する（Ｓ１３）。この際、遠隔入出力端末５０の入出力用表示部には、図１０に示すような画面が表示される。
【００６６】
一方、外部入力画像が複数存在する場合には、画像選択手段４７の機能により、遠隔入出力端末５０の入出力用表示部に背景映像選択画面を表示する（Ｓ３）。この際、遠隔入出力端末５０の入出力用表示部には、図８に示すような画面が表示される。図８に示す例では、複数の画像がサムネイル表示されている。
【００６７】
続いて、利用者により画像が選択されると（Ｓ４）、外部入力画像設定手段４１の機能により、楽曲毎にデフォルト設定された背景映像に代えて、外部入力画像管理手段４０に管理された外部入力画像の中から選択された外部入力画像を背景映像として設定する（Ｓ５）。本実施例では、例えば図６に示すように、管理データとして外部入力画像が複数存在するため、これらの外部入力画像の画像データに付帯された撮影場所データも複数存在することになる。したがって、本実施例では、選択された画像に対応する撮影場所が複数となる場合が想定されるため、選曲に際して地域を指定する必要が生じる。
【００６８】
そこで、本実施例では、遠隔入出力端末５０の入出力用表示部に、選択された画像と共に地域指定ボタンを表示する（Ｓ６）、この際、遠隔入出力端末５０の入出力用表示部には、図９に示すような画面が表示される。そして、利用者により地域の指定が行われると（Ｓ７）、画像対応楽曲提示手段４６の機能により、楽曲索引データベース４８の地域別楽曲索引データを参照し、背景映像として設定された外部入力画像に付帯された撮影場所データに対応する楽曲を抽出して、選曲可能な楽曲を遠隔入出力端末５０の入出力用表示部に一覧表示する（Ｓ８）。この際、遠隔入出力端末５０の入出力用表示部には、図１０に示すような画面が表示される。
【００６９】
続いて、選曲が確定されたか否かを判断し（Ｓ９）、選曲が確定されると、カラオケ本体３０に対して、楽曲ＩＤ、背景映像として表示する外部入力画像の画像ＩＤ、及び利用者ＩＤが送信され、予約管理手段４２の機能により、予約待ち行列としてＲＡＭ３４に格納する（Ｓ１０）。一方、選曲が確定されなかった場合には、上述した処理を最初からやり直す。
【００７０】
一方、外部入力画像に関する管理データが存在しない場合には、通常の選曲処理（Ｓ１１）に移行する。なお、通常の選曲処理（Ｓ１１）とは、一般的なカラオケシステムにおいて通常行われている選曲処理のことであり、例えば、楽曲索引データベース４８に与えられる検索キーワードの属性情報に応じて、曲名、アーティスト名、ジャンル、年代等の各種検索モードを用いて選曲を行う処理のことである。
【００７１】
なお、外部入力画像に関する管理データが存在する場合に、外部入力画像管理手段４０に格納された外部入力画像の中から選択された画像を背景映像として設定するのではなく、利用者が当該外部入力画像を背景映像とするか否かを指示できるようにしてもよい。
【００７２】
＜実施例２＞
実施例２の楽曲選択手順は、外部入力画像に付帯された撮影場所データ及び撮影年月日データに基づいて選曲を行う場合である。図１１は、外部入力画像に対応した楽曲を選択する手順の実施例２を示すフローチャートである。また、図１２は地域及び期間指定画面の一例を示す説明図、図１３は選曲目次画面を示す説明図である。
【００７３】
実施例２の楽曲選択手順では、図１１に示すように、管理データ有無の判断処理（Ｓ２１）から外部入力画像の設定処理（Ｓ２５、Ｓ３２〜Ｓ３３）までは実施例１とほぼ同様である。
実施例２では、管理データとして外部入力画像が複数存在し、これらの外部入力画像の画像データに付帯された撮影場所データ及び撮影年月日データも複数存在することになる。したがって、実施例２では、選択された画像に対応する撮影場所及び撮影期間が複数となる場合が想定されるため、選曲に際して地域及び期間を指定する必要が生じる。
【００７４】
そこで、実施例２では、遠隔入出力端末５０の入出力用表示部に、選択された画像と共に地域指定ボタン及び期間指定ボタンを表示する（Ｓ２６）、この際、遠隔入出力端末５０の入出力用表示部には、図１２に示すような画面が表示される。そして、利用者により地域及び期間の指定が行われると（Ｓ２７）、画像対応楽曲提示手段４６の機能により、楽曲索引データベース４８の地域別楽曲索引データを参照し、背景映像として設定された外部入力画像に付帯された撮影場所データ及び撮影年月日データに対応する楽曲を抽出して、選曲可能な楽曲を遠隔入出力端末５０の入出力用表示部に一覧表示する（Ｓ２８）。この際、遠隔入出力端末５０の入出力用表示部には、図１３に示すような画面が表示される。
それ以降の処理（Ｓ２９〜Ｓ３０及びＳ３１）に関しては、実施例１とほぼ同様である。
【００７５】
＜他の実施形態＞
本発明の画像対応楽曲推薦提示システムを適用するカラオケシステムを構成する機器や手段は上述したものに限定されず、カラオケシステムの利用目的等に応じて、必要な機器や手段のみの構成としたり、適宜他の機器や手段を付加したりすることができる。
また、各手段をそれぞれ別個のものとして構成するのではなく、複数の機能を統合した手段として構成してもよい。
【図面の簡単な説明】
【００７６】
【図１】本発明の実施形態に係る画像対応楽曲推薦提示システムの構成を示すもので、（ａ）は画像対応楽曲推薦提示システムの全体構成を示す模式図、（ｂ）はホスト装置の概略構成を示すブロック図。
【図２】演奏ログデータベースの構成を示すもので、（ａ）は楽曲が演奏された所定の期間を演奏ログに含ませない場合の説明図、楽曲が演奏された所定の期間を演奏ログに含ませる場合の説明図。
【図３】カラオケ演奏端末の構成を示すブロック図。
【図４】カラオケ演奏端末において外部入力画像を管理する場合の入力例１を示す説明図。
【図５】ホスト装置において外部入力画像を管理する場合の入力例２を示す説明図。
【図６】管理データの説明図。
【図７】外部入力画像に対応した楽曲を選択する手順を示すフローチャート（実施例１）。
【図８】背景映像選択画面を示す説明図（実施例１、実施例２）。
【図９】地域指定画面を示す説明図（実施例１）。
【図１０】選曲目次画面を示す説明図（実施例１）。
【図１１】外部入力画像に対応した楽曲を選択する手順を示すフローチャート（実施例２）。
【図１２】地域及び期間指定画面を示す説明図（実施例２）。
【図１３】選曲目次画面を示す説明図（実施例２）。
【図１４】予約待ち行列の説明図。
【符号の説明】
【００７７】
１１  ホスト装置
１２  通信ネットワーク
１３  カラオケ演奏端末
２１  送受信部
２２  制御手段
２３  データ処理手段
２４  演奏ログデータベース
２５  顧客データベース
２６  演奏ログ収集手段
２７  地域対応楽曲抽出管理手段
３０  カラオケ本体
３１  バス
３２  中央制御手段
３３  ＲＯＭ
３４  ＲＡＭ
３５  ＨＤＤ
３６  楽曲データベース
３７  映像データベース
３８  外部入力画像記憶部
３９  ローカル送受信手段
４０  外部入力画像管理手段
４１  外部入力画像設定手段
４２  予約管理手段
４３  音楽曲出力手段
４４  再生制御手段
４５  楽曲検索手段
４６  画像対応楽曲提示手段
４７  画像選択手段
４８  楽曲索引データベース
４９  ネットワーク送受信手段
５０  遠隔入出力端末
５１  マイクロホン
５２  スピーカ
５３  ミキシングアンプ
５４  表示手段
６１  ＳＤメモリカード装着スロット
６２  ＩＤカード装着スロット
６３  ＳＤメモリカード
６４  ＩＤカード
【図１】
0004963269.tif 000002
【図２】
0004963269.tif 000003
【図３】
0004963269.tif 000004
【図４】
0004963269.tif 000005
【図５】
0004963269.tif 000006
【図６】
0004963269.tif 000007
【図７】
0004963269.tif 000008
【図８】
0004963269.tif 000009
【図９】
0004963269.tif 000010
【図１０】
0004963269.tif 000011
【図１１】
0004963269.tif 000012
【図１２】
0004963269.tif 000013
【図１３】
0004963269.tif 000014
【図１４】
0004963269.tif 000015